(57)【要約】      （修正有）【課題】非使用時に長さを縮小させて携帯や収納に便利なヘアカーラー器を提供する。【解決手段】把持部１と発熱モジュールと髪挟持部材とを有し、把持部の前端に前蓋５が設置され、把持部の後端に後蓋３が設置され、把持部の内部に発熱モジュールを収納するための第１収納室が設置され、第１収納室の前端に発熱モジュールを挿入するための開口が設けられ、第１収納室の内壁において前端から後端に向かって延伸する、発熱モジュールの摺動を補助するための凹形状をした一対のリターン溝２２が設けられ、発熱モジュールの後端表面に、リターン溝に嵌め込むことで把持部の第１収納室内で係合摺動可能となる一対の係合柱２１が設けられて、発熱モジュールが第１収納室内に伸縮可能に装着され、把持部の表面に髪挟持部材に合わせるＴ字形溝が設けられて、髪挟持部材をＴ字形溝内で摺動させ、把持部の後蓋内に発熱モジュールを押し出すための後カバー内嚢４が設置される。【選択図】図１
0003198031.tif 000002
【実用新案登録請求の範囲】
【請求項１】
把持部と発熱モジュールと髪挟持部材とを有し、該把持部の前端に前蓋が設置され、該把持部の後端に後蓋が設置され、該把持部の内部に該発熱モジュールを収納するための第１収納室が設けられ、該第１収納室の前端に該発熱モジュールを挿入するための開口が設けられ、該第１収納室の内壁において前端から後端に向かって延伸する、該発熱モジュールの摺動を補助するための凹形状をした一対のリターン溝が設けられ、該発熱モジュールの後端表面に、該リターン溝に嵌め込むことで該把持部の該第１収納室内で係合摺動可能となる一対の係合柱が設けられて、該発熱モジュールが該第１収納室内に伸縮可能に装着され、該把持部の表面に該髪挟持部材に合わせるＴ字形溝が設けられて、該髪挟持部材を該Ｔ字形溝内で摺動させ、該把持部の該後蓋内に該発熱モジュールを押し出すための後カバー内嚢が設置され、該後カバー内嚢の外表面には前端から後端に向かって傾斜延伸する、押し出しを補助するための一対の位置規制凹溝が設けられ、該後蓋を回すと同時に該後カバー内嚢を連動して回動させることにより、同時に該第１収納室から該発熱モジュールが一部押し出される、ことを特徴とする携帯に便利なヘアカーラー器。
【請求項２】
前記発熱モジュールがアルミニウム筒で構成され、該アルミニウム筒の内部に第２収納室が設けられ、該第２収納室内部に熱伝導アルミニウム片と熱伝導アルミニウム片に平行するＰＴＣサーミスタとが設置されていることを特徴とする請求項１に記載の携帯に便利なヘアカーラー器。
【請求項３】
前記アルミニウム筒の前端に円頭部が連結され、該円頭部の前方に可変色シリコンリングが設置され、該円頭部の内部にＰＣＢ基板が置かれ、該ＰＣＢ基板上にＬＥＤランプが溶接され、該ＰＣＢ基板上に該ＬＥＤランプを覆うためのランプシェードがさらに設置されていることを特徴とする請求項２に記載の携帯に便利なヘアカーラー器。
【請求項４】
前記アルミニウム筒の内壁において、前端から後端に向かって延伸する、前記熱伝導アルミニウム片の位置を固定するための凸形状をした一対のガイドが設けられ、該ガイドが該アルミニウム筒の内壁の前端から後端まで延伸するとともに、該アルミニウム筒の後端にアダプタースリーブが連結され、該アダプタースリーブの表面の一部にスイッチ部が露出する形で配置され、該アダプタースリーブの内部に、電源に接続するためのプラグが連結され、該プラグの正負極がそれぞれ該スイッチ部を介して前記ＰＴＣサーミスタの入力の両端に電気的に接続し、該スイッチ部表面には、前記把持部内の前記第１収納室の内壁において凹形状をした前記リターン溝に合わせる接触点が設置され、該接触点が該リターン溝内に位置することで、該把持部内の該第１収納室の内壁には接せず、スイッチがオフの状態となり、その状態から該接触点が移動し、該リターン溝内から外れることで、該把持部内の該第１収納室の内壁に該接触点が押し込まれ、スイッチがオンの状態となり、通電することを特徴とする請求項２または３に記載の携帯に便利なヘアカーラー器。
【請求項５】
前記髪挟持部材が挟持片と挟持蓋と挟持スライダーとを有し、該挟持片が弾性を備えた該挟持蓋を介して該挟持スライダー上に可動設置されることを特徴とする請求項１に記載の携帯に便利なヘアカーラー器。
【請求項６】
前記ヘアカーラー器の前記把持部が円筒構造であることを特徴とする請求項１に記載の携帯に便利なヘアカーラー器。
【考案の詳細な説明】
【技術分野】
【０００１】
本考案は、毛髪用美容装置に関し、特に携帯に便利なヘアカーラー器に関する。
【背景技術】
【０００２】
在宅時または旅行時であっても、ヘアカーラー器は、美を愛する女性たちが日常生活において毛髪をカールさせ、さまざまな髪型にセットするのを好むものであり、専門の美容院でセットする女性もいるが、一部の女性たちは自身でヘアカーラー器を購入して自宅で髪型をセットするものである。
【０００３】
従来の技術におけるヘアカーラー器は、把持部と髪挟持部材と発熱モジュールとを有し、使用時には、直接通電し、同時に挟持部で毛髪を挟持して巻いてセットする。
【考案の概要】
【考案が解決しようとする課題】
【０００４】
しかしながら、髪挟持部材と発熱モジュールとが把持部上に固定されて一体固定となっているため、伸縮できず、非使用時に占有スペースが大きく、携帯や収納に不便をきたしている。
【０００５】
従って、本考案の目的は、以上の欠陥を解決して、携帯に便利なヘアカーラー器を提供することにあり、それは非使用状態下で長さを縮小することにより、占有スペースを小さくすることができて、携帯や収納に都合が良い。
【課題を解決するための手段】
【０００６】
本考案の目的は以下の手段により実現されるものである。
【０００７】
本考案に係るヘアカーラー器は、携帯に便利なヘアカーラー器であって、把持部と発熱モジュールと髪挟持部材とを有し、該把持部の前端に前蓋が設置され、該把持部の後端に後蓋が設置され、該把持部の内部に該発熱モジュールを収納するための第１収納室が設けられ、該第１収納室の前端に該発熱モジュールを挿入するための開口が設けられ、該第１収納室の内壁において前端から後端に向かって延伸する、該発熱モジュールの摺動を補助するための凹形状をした一対のリターン溝が設けられ、該発熱モジュールの後端表面に、該リターン溝に嵌め込むことで該把持部の該第１収納室内で係合摺動可能となる一対の係合柱が設けられて、該発熱モジュールが該第１収納室内に伸縮可能に装着され、該把持部の表面に該髪挟持部材に合わせるＴ字形溝が設けられて、該髪挟持部材を該Ｔ字形溝内で摺動させ、該把持部の該後蓋内に該発熱モジュールを押し出すための後カバー内嚢が設置され、該後カバー内嚢の外表面には前端から後端に向かって傾斜延伸する、押し出しを補助するための一対の位置規制凹溝が設けられ、該後蓋を回すと同時に該後カバー内嚢を連動して回動させることにより、同時に該第１収納室から該発熱モジュールが一部押し出されることになる。  
【０００８】
好ましくは、前記発熱モジュールがアルミニウム筒で構成され、該アルミニウム筒の内部に第２収納室が設けられ、該第２収納室内部に熱伝導アルミニウム片と熱伝導アルミニウム片に平行するＰＴＣサーミスタとが設置される。
【０００９】
好ましくは、前記アルミニウム筒の前端に円頭部が連結され、該円頭部の前方に可変色シリコンリングが設置され、該円頭部の内部にＰＣＢ基板が置かれ、該ＰＣＢ基板上にＬＥＤランプが溶接され、該ＰＣＢ基板上に該ＬＥＤランプを覆うためのランプシェードがさらに設置される。
【００１０】
好ましくは、前記アルミニウム筒の内壁において、前端から後端に向かって延伸する、前記熱伝導アルミニウム片の位置を固定するための凸形状をした一対のガイドが設けられ、該ガイドが該アルミニウム筒の内壁の前端から後端まで延伸するとともに、該アルミニウム筒の後端にアダプタースリーブが連結され、該アダプタースリーブの表面の一部にスイッチ部が露出する形で配置され、該アダプタースリーブの内部に、電源に接続するためのプラグが連結され、該プラグの正負極がそれぞれ該スイッチ部を介して前記ＰＴＣサーミスタの入力の両端に電気的に接続し、該スイッチ部表面には、前記把持部内の前記第１収納室の内壁において凹形状をした前記リターン溝に合わせる接触点が設置され、該接触点が該リターン溝内に位置することで、該把持部内の該第１収納室の内壁には接せず、スイッチがオフの状態となり、その状態から該接触点が移動し、該リターン溝内から外れることで、該把持部内の該第１収納室の内壁に該接触点が押し込まれ、スイッチがオンの状態となり、通電する。
【００１１】
好ましくは、前記髪挟持部材が挟持片と挟持蓋と挟持スライダーとを有し、該挟持片が弾性を備えた該挟持蓋を介して該挟持スライダー上に可動設置される。
【００１２】
好ましくは、前記ヘアカーラー器の前記把持部が円筒構造である。
【考案の効果】
【００１３】
本考案に係るヘアカーラー器によれば、把持部と発熱モジュールと髪挟持部材とが伸縮可能な一体として設置され、非使用時に、発熱モジュールと髪挟持部材とを把持部に収納できて、ヘアカーラー器の占有するスペースを減らし、操作が簡単で、携帯に便利で、生活を便利にする。
【図面の簡単な説明】
【００１４】
【図１】本考案の一実施形態に係るヘアカーラー器全体の構成を示した分解説明図である。
【図２】本考案の一実施形態に係るヘアカーラー器の発熱モジュールの構成を示した分解説明図である。
【図３】本考案の一実施形態に係るヘアカーラー器の展開状態を示した説明図である。
【図４】本考案の一実施形態に係るヘアカーラー器の収納状態を示した説明図である。
【図５】本考案の一実施形態に係るヘアカーラー器が収納状態にある時の図である。
【図６】本考案の一実施形態に係るヘアカーラー器の図である。
【図７】図６のヘアカーラー器の図である。
【考案を実施するための形態】
【００１５】
次に添付図面と具体的な実施形態とを結んで本考案についてさらに詳細に説明する。
【００１６】
本実施形態は、図１〜図７を参照すると、携帯に便利なヘアカーラー器であって、把持部１と発熱モジュールと髪挟持部材とを有し、把持部１の前端に前蓋５が設置され、把持部１の後端に後蓋３が設置され、把持部１の内部に発熱モジュールを収納するための第１収納室が設けられ、第１収納室の前端に発熱モジュールを挿入するための開口が設けられ、第１収納室の内壁において前端から後端に向かって延伸する、発熱モジュールの摺動を補助するための凹形状をした一対のリターン溝２２が設けられ、発熱モジュールの後端表面に、リターン溝２２に嵌め込むことで把持部１の第１収納室内で係合摺動可能となる一対の係合柱２１が設けられて、発熱モジュールが第１収納室内に伸縮可能に装着され、把持部１の表面に髪挟持部材に合わせるＴ字形溝１９が設けられて、髪挟持部材をＴ字形溝１９内で摺動させ、把持部１の後蓋３内に発熱モジュールを押し出すための後カバー内嚢４が設置され、後カバー内嚢４の外表面には前端から後端に向かって傾斜延伸する、押し出しを補助するための一対の位置規制凹溝２０が設けられ、後蓋３を回すと同時に後カバー内嚢４を連動して回動させることで、同時に第１収納室から発熱モジュールを一部押し出し、その押し出された部分を引っ張ることで発熱モジュールを把持部１の第１収納室から展開することができ、展開した発熱モジュールを把持部１の第１収納室内に押し込むことで、発熱モジュールが把持部１内に収納され、ヘアカーラー器の長さが縮小して、携帯、安置に都合の良いものになる。
【００１７】
発熱モジュールはアルミニウム筒２で構成され、アルミニウム筒２の内部に第２収納室が設けられ、第２収納室内部に熱伝導アルミニウム片１２と熱伝導アルミニウム片１２に平行するＰＴＣサーミスタ１１とが設置され、アルミニウム筒２の前端に円頭部６が連結され、円頭部６の前方に可変色シリコンリング１７が設置され、円頭部６の内部にＰＣＢ基板１３が置かれ、ＰＣＢ基板１３上にＬＥＤランプ１４が溶接され、ＰＣＢ基板１３上にＬＥＤランプ１４を覆うためのランプシェード１５がさらに設置される。
アルミニウム筒２の内壁において、前端から後端に向かって延伸する、熱伝導アルミニウム片１２の位置を固定するための凸形状をした一対のガイド２３が設けられ、ガイド２３がアルミニウム筒２の内壁の前端から後端まで延伸するとともに、アルミニウム筒２の後端にアダプタースリーブ１６が連結され、アダプタースリーブ１６の表面の一部にスイッチ部１８が露出する形で配置され、アダプタースリーブ１６の内部に電源に接続するためのプラグ１０が連結され、プラグ１０の正負極がそれぞれスイッチ部１８を介してＰＴＣサーミスタ１１の入力の両端に電気的に接続し、スイッチ部１８表面には、把持部１内の第１収納室の内壁において凹形状をしたリターン溝２２に合わせる接触点が設けられ、接触点がリターン溝２２内に位置することで、把持部１内の第１収納室の内壁には接せず、スイッチがオフの状態となり、その状態から接触点が移動し、リターン溝２２内から外れることで、把持部１内の第１収納室の内壁に接触点が押し込まれ、スイッチがオンの状態となり、通電する。
髪挟持部材が挟持片９と挟持蓋８と挟持スライダー７とを有し、挟持片９が弾性を備えた挟持蓋８を介して挟持スライダー７上に可動設置され、ヘアカーラー器の把持部１が円筒構造である。
【００１８】
使用時には、後蓋３を回すと、後カバー内嚢４を介して発熱モジュールがその長さの一部押し出され、さらに手で円頭部６を握って発熱モジュールを引っ張り出し、その後、発熱モジュールを他の１角度へ回すと、スイッチ部１８の接触点が把持部１内の第１収納室の内壁に接触して押し込まれることで通電し、同時にＰＣＢ基板１３上のＬＥＤランプ１４を駆動させてさまざまな色を発色させ、ヘアカーラー器が動作状態となり、髪挟持部材の弾性を備えた挟持蓋８の後方部を下に押すと、挟持片９が同期して開くことで、毛髪を挟むことができる。
【００１９】
使用後、携帯または安置の必要がある時には、発熱モジュールを十分に冷ました後に、円頭部６を握って発熱モジュールを回し、スイッチ部１８の接触点を把持部１の第１収納室内の内壁に押し込まれた状態からリターン溝２２内へと移動させてスイッチをオフの状態とし、その後、発熱モジュールを髪挟持部材とともに、把持部１の第１収納室内に向かって摺動させると、把持部１と発熱モジュール及び髪挟持部材との一体化が実現され、発熱モジュール及び髪挟持部材が完全に把持部１に収納される。
【００２０】
以上の内容は具体的な好ましい実施形態と結び付けて本考案に対して行ったさらなる詳細説明であり、本考案の具体的な形態がこれらの説明だけに限定されると認めることはできない。本考案の属する技術分野の当業者にとっては、本考案の構想から離脱しない前提のもとで、若干の簡単な発展または置き換えを行うこともできるが、どれも本考案の保護範囲と見るべきである。
【符号の説明】
【００２１】
１    把持部
２    アルミニウム筒
３    後蓋
４    後カバー内嚢
５    前蓋
６    円頭部
７    挟持スライダー
８    挟持蓋
９    挟持片
１０  プラグ
１１  ＰＴＣサーミスタ
１２  熱伝導アルミニウム片
１３  ＰＣＢ基板
１４  ＬＥＤランプ
１５  ランプシェード
１６  アダプタースリーブ
１７  可変色シリコンリング
１８  スイッチ部
１９  Ｔ字形溝
２０  位置規制凹溝
２１  係合柱
２２  リターン溝
２３  ガイド
【図１】
0003198031.tif 000003
【図２】
0003198031.tif 000004
【図３】
0003198031.tif 000005
【図４】
0003198031.tif 000006
【図５】
0003198031.tif 000007
【図６】
0003198031.tif 000008
【図７】
0003198031.tif 000009